(57)【特許請求の範囲】
【請求項１】
室内の天井面に開設した換気装置取付口と、前記天井内に配置した屋外と連通した可撓性を有した給気用ダクトと排気用ダクトと、この給気用ダクトと排気用ダクトに各々接続する給気用と排気用の通風接続口を有した箱状で前記通風接続口の反対側に前記換気装置取付口の一辺に固定する脚部を有し、かつ内部に給気風路と排気風路とをそれぞれ独立して形成し給気用送風装置および排気用送風装置とを設け、前記換気装置取付口より天井内に前記給気用ダクト側および前記排気用ダクト側へ配設される第一の枠体と、前記換気装置取付口より挿入され、箱状で底面に前記天井面へ固定するための取付部を有し、かつ内部に給気及び排気を熱交換する熱交換器を設け前記給気風路と前記排気風路とをそれぞれ独立して形成し、底面に給気用吹出し口と排気用吸い込み口を設けた第二の枠体を有し、前記第一の枠体の脚部側面と、この脚部側面に係合手段を用いて前記第二の枠体の一側面を連結し、前記第一の枠体の前記給気風路と前記排気風路を前記第二の枠体の給気風路と排気風路とに各々連通接続させ、可撓性を有した前記排気用ダクトと前記給気用ダクトを前記通風接続口に接続した前記第一の枠体を前記換気装置取付口より前記天井内に前記給気用ダクトおよび前記排気用ダクト側へ配設し、前記脚部を前記換気装置取付口の一辺に固定し、前記第二の枠体を前記換気装置取付口より挿入し、前記係合手段を用いて前記第一の枠体とを連結し、前記取付部を前記天井面へ固定する構成を特徴とした熱交換換気装置。
【請求項２】
係合手段は、第一の枠体の脚部に設けたコの字形状の凹部と第二の枠体に凸部を設けた構成を特徴とする請求項１記載の熱交換換気装置。
【請求項３】
第二の枠体の第一の枠体と連結する一側面以外の側面に、給気用吹出し口を設けた構成を特徴とする請求項１または２記載の熱交換換気装置。
【請求項４】
第一の枠体内の給気風路内に、フィルターを設けた構成を特徴とする請求項１〜３のいずれかに記載の熱交換換気装置。
【請求項５】
第二の枠体内の給気風路内に、フィルターを設けた構成を特徴とする請求項１〜３のいずれかに記載の熱交換換気装置。
【請求項６】
第二の枠体内の排気風路内に、フィルターを設けた構成を特徴とする請求項１〜３、５のいずれかに記載の熱交換換気装置。
【請求項７】
第二の枠体に、給気用吹出し口の開口と排気用吸い込みの開口を設けた化粧パネルを取り付けた構成を特徴とする請求項１〜３、５、６のいずれかに記載の熱交換換気装置。
【請求項８】
化粧パネルに設けた排気用吸い込みの開口に、フィルターを設けた構成を特徴とする請求項７の熱交換換気装置。
【請求項９】
第一の枠体内に、通風接続口を開閉するシャッターを設けた構成を特徴とする請求項１〜４のいずれかに記載の熱交換換気装置。
【発明の詳細な説明】
【技術分野】
【０００１】
本発明は、給排気流間で熱交換を行いながら換気する天井埋め込み型の熱交換換気装置に関する。
【背景技術】
【０００２】
従来、この種の熱交換換気装置としては、給気用送風装置と排気用送風装置と、給気と排気を熱交換する熱交換器を一つの長方形状の枠体内に設けていた（例えば、特許文献１参照）。
【０００３】
以下、図７をもとにその構成を説明する。
【０００４】
下面に排気用吸い込み口１０１を有し、側面に給気用吹き出し口１０２と、他側面に屋外と連通する排気と給気の通風口１０３を設けた箱状の枠体１０４と、この枠体内に排気用送風装置１０５及び給気用送風装置１０６と、排気と給気との間で熱交換する熱交換器１０７を備えた構成となっている。
【特許文献１】特許第３４５６８８０号公報
【発明の開示】
【発明が解決しようとする課題】
【０００５】
このような従来の熱交換換気装置では、室内の天井面に開設した換気装置取付口よりも枠体の方が大きくなり、天井を貼った後からでは設置及び取り外しすることができないという課題があった。
【０００６】
本発明の熱交換換気装置は上記課題を解決するためのもので、天井を貼った後からでも設置及び取り外しをすることができる熱交換換気装置を提供することを目的としている。
【課題を解決するための手段】
【０００７】
本発明の熱交換換気装置は上記目的を達成するために、
室内の天井面に開設した換気装置取付口と、前記天井内に配置した屋外と連通した可撓性を有した給気用ダクトと排気用ダクトと、この給気用ダクトと排気用ダクトに各々接続する給気用と排気用の通風接続口を有した箱状で前記通風接続口の反対側に前記換気装置取付口の一辺に固定する脚部を有し、かつ内部に給気風路と排気風路とをそれぞれ独立して形成し給気用送風装置および排気用送風装置とを設け、前記換気装置取付口より天井内に前記給気用ダクト側および前記排気用ダクト側へ配設される第一の枠体と、前記換気装置取付口より挿入され、箱状で底面に前記天井面へ固定するための取付部を有し、かつ内部に給気及び排気を熱交換する熱交換器を設け前記給気風路と前記排気風路とをそれぞれ独立して形成し、底面に給気用吹出し口と排気用吸い込み口を設けた第二の枠体を有し、前記第一の枠体の脚部側面と、この脚部側面に係合手段を用いて前記第二の枠体の一側面を連結し、前記第一の枠体の前記給気風路と前記排気風路を前記第二の枠体の給気風路と排気風路とに各々連通接続させ、可撓性を有した前記排気用ダクトと前記給気用ダクトを前記通風接続口に接続した前記第一の枠体を前記換気装置取付口より前記天井内に前記給気用ダクトおよび前記排気用ダクト側へ配設し、前記脚部を前記換気装置取付口の一辺に固定し、前記第二の枠体を前記換気装置取付口より挿入し、前記係合手段を用いて前記第一の枠体とを連結し、前記取付部を前記天井面へ固定するものである。
【０００８】
この手段により、天井を貼った後からでも設置および取り外しをすることができる熱交換換気装置が得られる。
【０００９】
また、他の手段は、係合手段は、第一の枠体の脚部に設けたコの字形状の凹部と第二の枠体に凸部を設けたものである。
【００１０】
この手段により、連通接続を容易でかつ給気風路および排気風路からの風漏れを防止できる熱交換換気装置が得られる。
【００１１】
また、他の手段は、第二の枠体の第一の枠体と連結する一側面以外の側面に、給気用吹出し口を設けたものである。
【００１２】
この手段により、他の複数の箇所への給気を行うことができる熱交換換気装置が得られる。
【００１３】
また、他の手段は、第一の枠体内の給気風路内に、フィルターを設けたものである。
【００１４】
この手段により、屋外から給気される外気に混じった虫や粉塵等が室内に侵入するのを防ぎ、かつ給気用送風装置及び熱交換器に虫や粉塵等が付着するのを防止し、製品性能を維持することができる熱交換換気装置が得られる。
【００１５】
また、他の手段は、第二の枠体内の給気風路内に、フィルターを設けたものである。
【００１６】
この手段により、屋外から給気される外気に混じった虫やや粉塵等が室内に侵入するのを防止するとともに、室内側から容易に清掃できる熱交換換気装置が得られる。
【００１７】
また、他の手段は、第二の枠体内の排気風路内に、フィルターを設けたものである。
【００１８】
この手段により、室内から排出される空気に混じったほこりや粉塵が排気用送風装置及び熱交換器に付着するのを防止し、製品性能を維持することができる熱交換換気装置が得られる。
【００１９】
また、他の手段は、第二の枠体に、給気用吹出し口の開口と排気用吸い込みの開口を設けた化粧パネルを取り付けたものである。
【００２０】
この手段により、意匠性の向上した熱交換換気装置が得られる。
【００２１】
また、他の手段は、化粧パネルに設けた排気用吸い込みの開口に、フィルターを設けた
ものである。
【００２２】
この手段により、室内から排出される空気に混じったほこりや粉塵が排気用送風装置および熱交換器に付着するのを防止し、本体性能を維持することができとともに、室内側から容易に清掃することができる熱交換換気装置が得られる。
【００２３】
また、他の手段は、第一の枠体内に、通風接続口を開閉するシャッターを設けたものである。
【００２４】
この手段により、停止時に屋外からの冷気が室内に侵入するのを防ぐことのできる熱交換換気装置が得られる。
【発明の効果】
【００２５】
本発明によれば、室内の天井面に開設した換気装置取付口と、前記天井内に配置した屋外と連通した可撓性を有した給気用ダクトと排気用ダクトと、この給気用ダクトと排気用ダクトに各々接続する給気用と排気用の通風接続口を有した箱状で前記通風接続口の反対側に前記換気装置取付口の一辺に固定する脚部を有し、かつ内部に給気風路と排気風路とをそれぞれ独立して形成し給気用送風装置および排気用送風装置とを設け、前記換気装置取付口より天井内に前記給気用ダクト側および前記排気用ダクト側へ配設される第一の枠体と、前記換気装置取付口より挿入され、箱状で底面に前記天井面へ固定するための取付部を有し、かつ内部に給気及び排気を熱交換する熱交換器を設け前記給気風路と前記排気風路とをそれぞれ独立して形成し、底面に給気用吹出し口と排気用吸い込み口を設けた第二の枠体を有し、前記第一の枠体の脚部側面と、この脚部側面に係合手段を用いて前記第二の枠体の一側面を連結し、前記第一の枠体の前記給気風路と前記排気風路を前記第二の枠体の給気風路と排気風路とに各々連通接続させ、可撓性を有した前記排気用ダクトと前記給気用ダクトを前記通風接続口に接続した前記第一の枠体を前記換気装置取付口より前記天井内に前記給気用ダクトおよび前記排気用ダクト側へ配設し、前記脚部を前記換気装置取付口の一辺に固定し、前記第二の枠体を前記換気装置取付口より挿入し、前記係合手段を用いて前記第一の枠体とを連結し、前記取付部を前記天井面へ固定する構成とすることにより、天井を貼った後からでも設置および取り外しをすることができるという効果のある熱交換換気装置を提供できる。
【００２６】
また、係合手段は、第一の枠体の脚部に設けたコの字形状の凹部と第二の枠体に凸部を設けた構成とすることにより、連通接続を容易でかつ給気風路及び排気風路からの風漏れを防止することができるという効果のある熱交換換気装置を提供できる。
【００２７】
また、第二の枠体の第一の枠体と連結する一側面以外の側面に、給気用吹出し口を設けた構成とすることにより、他の複数の箇所への給気を行うことができるという効果のある熱交換換気装置を提供できる。
【００２８】
また、第一の枠体内の給気風路内に、フィルターを設けた構成とすることにより、屋外から給気される外気に混じった虫や粉塵等が室内に侵入するのを防止することができ、かつ給気用送風装置および熱交換器に虫や粉塵等が付着するのを防止し、製品性能を維持することができるという効果のある熱交換換気装置を提供できる。
【００２９】
また、第二の枠体内の給気風路内に、フィルターを設けた構成とすることにより、屋外から給気される外気に混じった虫や粉塵等が室内に侵入するのを防止するとともに、室内側から容易に清掃することができるという効果のある熱交換換気装置を提供できる。
【００３０】
また、第二の枠体内の排気風路内に、フィルターを設けた構成とすることにより、室内から排出される空気に混じったほこりや粉塵が排気用送風装置及び熱交換器に付着するのを防止し、製品性能を維持することができるという効果のある熱交換換気装置を提供できる。
【００３１】
また、第二の枠体に、給気用吹出し口の開口と排気用吸い込みの開口を設けた化粧パネルを取り付けた構成とすることにより、意匠性を向上させることができるという効果のある熱交換換気装置を提供できる。
【００３２】
また、化粧パネルに設けた排気用吸い込みの開口に、フィルターを設けた構成とすることにより、室内から排出される空気に混じったほこりや粉塵が排気用送風装置及び熱交換器に付着するのを防止し、本体性能を維持することができとともに、室内側から容易に清掃することができるという効果のある熱交換換気装置を提供できる。
【００３３】
また、第一の枠体内に、通風接続口を開閉するシャッターを設けた構成とすることにより、停止時に屋外からの冷気が室内に侵入するのを防ぐことができるという効果のある熱交換換気装置を提供できる。
【発明を実施するための最良の形態】
【００３４】
本発明の請求項１記載の熱交換換気装置は、室内の天井面に開設した換気装置取付口と、前記天井内に配置した屋外と連通した可撓性を有した給気用ダクトと排気用ダクトと、この給気用ダクトと排気用ダクトに各々接続する給気用と排気用の通風接続口を有した箱状で前記通風接続口の反対側に前記換気装置取付口の一辺に固定する脚部を有し、かつ内部に給気風路と排気風路とをそれぞれ独立して形成し給気用送風装置および排気用送風装置とを設け、前記換気装置取付口より天井内に前記給気用ダクト側および前記排気用ダクト側へ配設される第一の枠体と、前記換気装置取付口より挿入され、箱状で底面に前記天井面へ固定するための取付部を有し、かつ内部に給気及び排気を熱交換する熱交換器を設け前記給気風路と前記排気風路とをそれぞれ独立して形成し、底面に給気用吹出し口と排気用吸い込み口を設けた第二の枠体を有し、前記第一の枠体の脚部側面と、この脚部側面に係合手段を用いて前記第二の枠体の一側面を連結し、前記第一の枠体の前記給気風路と前記排気風路を前記第二の枠体の給気風路と排気風路とに各々連通接続させ、可撓性を有した前記排気用ダクトと前記給気用ダクトを前記通風接続口に接続した前記第一の枠体を前記換気装置取付口より前記天井内に前記給気用ダクトおよび前記排気用ダクト側へ配設し、前記脚部を前記換気装置取付口の一辺に固定し、前記第二の枠体を前記換気装置取付口より挿入し、前記係合手段を用いて前記第一の枠体とを連結し、前記取付部を前記天井面へ固定するとしたものであり、天井面を貼った後からでも設置および取り外しすることができるという作用を有する。
【００３５】
また、請求項２記載の熱交換換気装置は、係合手段は、第一の枠体の脚部に設けたコの字形状の凹部と第二の枠体に凸部を設けたとしたものであり、連通接続を容易でかつ給気風路および排気風路からの風漏れを防止することができるという作用を有する。
【００３６】
また、請求項３記載の熱交換換気装置は、第二の枠体の第一の枠体と連結する一側面以外の側面に、給気用吹出し口を設けたとしたものであり、他の複数の箇所への給気を行うことができるという作用を有する。
【００３７】
また、請求項４記載の熱交換換気装置は、第一の枠体内の給気風路内に、フィルターを設けたとしたものであり、屋外から給気される外気に混じった虫や粉塵等が室内に侵入するのを防止することができ、かつ給気用送風装置および熱交換器に虫や粉塵等が付着するのを防止し、製品性能を維持することができるという作用を有する。
【００３８】
また、請求項５記載の熱交換換気装置は、第二の枠体内の給気風路内に、フィルターを設けたとしたものであり、屋外から給気される外気に混じった虫や粉塵等が室内に侵入するのを防止するとともに、室内側から容易に清掃することができるという作用を有する。
【００３９】
また、請求項６記載の熱交換換気装置は、第二の枠体内の排気風路内に、フィルターを設けたとしたものであり、室内から排出される空気に混じったほこりや粉塵が排気用送風装置および熱交換器に付着するのを防止し、製品性能を維持することができるという作用を有する。
【００４０】
また、請求項７記載の熱交換換気装置は、第二の枠体に、給気用吹出し口の開口と排気用吸い込みの開口を設けた化粧パネルを取り付けたとしたものであり、意匠性を向上させることができるという作用を有する。
【００４１】
また、請求項８記載の熱交換換気装置は、化粧パネルに設けた排気用吸い込みの開口に、フィルターを設けたとしたものであり、室内から排出される空気に混じったほこりや粉塵が排気用送風装置及び熱交換器に付着するのを防止し、本体性能を維持することができとともに、室内側から容易に清掃することができるという作用を有する。
【００４２】
また、請求項９記載の熱交換換気装置は、第一の枠体内に、通風接続口を開閉するシャッターを設けたとしたものであり、停止時に屋外からの冷気が室内に侵入するのを防ぐことができるという作用を有する。
【００４３】
以下、本発明の実施の形態について図面を参照しながら説明する。
【００４４】
（実施の形態１）
図１、２に示すように、室内の天井面に開設した換気装置取付口１と、前記天井内に配置した屋外と連通した可撓性を有した給気用ダクト５ｂと排気用ダクト５ａと、この給気用ダクト５ｂと排気用ダクト５ａに接続する給気用と排気用の通風接続口２ｅを有した箱状で通風接続口２ｅの反対側に換気装置取付口１の一辺に固定する脚部２ｄを有し、かつ、内部に仕切り板２ｃを用いて給気風路２ｇと排気風路２ｆとをそれぞれ独立して形成し、給気風路２ｇ側に給気用送風装置２ａを、排気風路２ｆ内に排気用送風装置２ｂとを設け、換気装置取付口１より天井内に前記排気用ダクト５ａ、給気用ダクト５ｂ側へ配設される第一の枠体２と、換気装置取付口１より挿入され、箱状で底面に前記天井面へ固定する為の取付部３ｃを有し、かつ、内部に給気及び排気を熱交換する熱交換器４を設け、仕切り板Ｂ３ａと仕切り板Ｃ３ｂとを用いて給気風路と排気風路とにそれぞれ独立して形成し、底面に給気用吹出し口３ｅと排気用吸い込み口３ｆを設けた第二の枠体３を有し、前記第一の枠体２の脚部２ｄと、この面に係合手段３ｄを用いて第二の枠体３の一側面を連結し、第一の枠体２の給気風路２ｇと排気風路２ｆを第二の枠体３の給気風路と排気風路と各々連通接続させてなる構成とする。
【００４５】
上記構成の熱交換換気装置を設置するときは、まず図２（ａ）の矢印Ａに示すように、排気用ダクト５ａと給気用ダクト５ｂを通風接続口２ｅに接続した第一の枠体２を換気装置取付口１より天井内にダクト５側へ配設し、次に図２（ｂ）に示すように、脚部２ｄを換気装置取付口１の一辺に固定し、そして、図２（ｃ）の矢印Ｂに示すように、第二の枠体３を換気装置取付口１より挿入し、係合手段３ｄを用いて第一の枠体２とを連結し、取付部３ｃを天井面へ固定する。
【００４６】
そして、排気用送風装置２ｂを運転すると、排気用吸い込み口３ｆより室内の熱気を含む空気が取り入れられ、仕切り板Ｂ３ａと仕切り板Ｃ３ｂによって形成された排気風路２ｆを通って、熱交換器４を通るときに熱分が蓄積され、排気用送風装置２ｂを通って排気用ダクト５ａを通り屋外に排出され、一方、給気用送風装置２ａを運転すると、外気が給気用ダクト５ｂより給気され、給気用送風装置２ａを通って、仕切り板Ａ２ｃおよび仕切り板Ｃ３ｂによって形成された給気風路２ｇを通り、熱交換器４を通るときに熱交換器４に蓄積された熱分を回収し、仕切り板Ｂ３ａによって形成された給気風路２ｇを通り、給気用吹出し口３ｅより室内に取り入れられる。
【００４７】
このように、本発明の実施の形態１の熱交換換気装置によれば、給気用送風装置２ａと排気用送風装置を第一の枠体２内に、熱交換器４を第二の枠体３内にそれぞれ分割して設けているので、天井を貼った後からでも設置及び取り外しすることができる。
【００４８】
（実施の形態２）
図３に示すように、第一の枠体２にコの字形状の凹部２ｈと、第二の枠体３に凸部３ｈを設ける。
【００４９】
上記構成において、第二の枠体３を換気装置取付口１より挿入する際、第一の枠体２のコの字形状の凹部２ｈに第二の枠体３に設けた凸部３ｈが嵌合連結することで、給気風路２ｇおよび排気風路２ｆからの風漏れを防止することができる。
【００５０】
（実施の形態３）
図４に示すように、第二の枠体３の第一の枠体２と連結する一側面以外の側面に給気用吹出し口８を設ける。
【００５１】
上記構成において、給気用送風装置２ａを運転すると、外気が給気用ダクト５ｂより給気され、給気用送風装置２ａを通って、仕切り板Ａ２ｃおよび仕切り板Ｃ３ｂによって形成された給気風路２ｇを通り、熱交換器４を通るときに熱交換器４に蓄積された熱分を回収し、給気用吹出し口８より他の複数の箇所への給気を行うことができる。
【００５２】
また、第一の枠体２内の給気風路内に着脱自在にフィルター６を設ける。
【００５３】
上記構成において、給気用送風装置２ａを運転すると、給気用ダクト５ｂより給気された外気は給気風路内のフィルター６を通過し、給気用送風装置２ａを通って、仕切り板Ａ２ｃ及び仕切り板Ｃ３ｂによって形成された給気風路２ｇを通り、熱交換器４を通るときに熱交換器４に蓄積された熱分を回収し、給気用吹出し口８より他の複数の箇所への給気を行う。
【００５４】
このように、屋外から給気される外気に混じった虫や粉塵等が室内に侵入するのを防ぎ、かつ、給気用送風装置２ａ及び熱交換器４に虫や粉塵等が付着するのを防止し、製品性能を維持ことができる。
【００５５】
また、第二の枠体３内の給気風路２ｇ内にフィルター４ｂを設ける。
【００５６】
上記構成において、給気用送風装置２ａを運転すると、給気用ダクト５ｂより給気された外気は給気用送風装置２ａを通って、仕切り板Ａ２ｃ及び仕切り板Ｃ３ｂによって形成された給気風路２ｇを通り、給気風路２ｇ内のフィルター４ｂを通過し、熱交換器４を通るときに熱交換器４に蓄積された熱分を回収し、給気用吹出し口８より他の複数の箇所への給気を行う。
【００５７】
このように、屋外から給気される外気に混じった虫や粉塵等が室内に侵入するのを防ぎ、また、仕切り板Ｃ３ｂを外すことで、給気風路内のフィルター４ｂは室内側からでも容易に清掃することができる。
【００５８】
また、第二の枠体３内の排気風路内にフィルター４ａを設ける。
【００５９】
上記構成においては、排気用送風装置２ｂを運転すると、排気用吸い込み口３ｆより室内の空気が取り入れられ、仕切り板Ｂ３ａと仕切り板Ｃ３ｂによって形成された排気風路２ｆを通って、排気風路２ｆ内のフィルター４ａを通って、熱交換器４を通るときに熱分が蓄積され、排気用送風装置２ｂを通って排気用ダクト５ａを通り屋外に排出される。
【００６０】
このように、室内の空気に混じったほこりや粉塵が排気用送風装置２ｂおよび熱交換器４に付着するのを防止し、製品性能を維持することができる。
【００６１】
（実施の形態４）
図５に示すように、第二の枠体３に給気吹出し口用の開口である室内給気吹出し口９ｂと排気吸い込み用の開口を設けた化粧パネル９を取り付ける。
【００６２】
上記構成において、意匠性の良い化粧パネル９を用いることで、取付部３ｃ及び熱交換器４を室内から直視できないため、意匠性を向上させることができる。
【００６３】
また、化粧パネル９に設けた排気吸込み用の開口に排気フィルター９ａを設ける。
【００６４】
上記構成において、排気用送風装置２ｂを運転すると、排気フィルター９ａより室内の空気が取り入れられ、仕切り板Ｂ３ａと仕切り板Ｃ３ｂによって形成された排気風路２ｆを経て、熱交換器４を通るときに熱分が蓄積され、排気用送風装置２ｂを通って排気用ダクト５ａを通り屋外に排出される。
【００６５】
このように、室内の空気に混じったほこりや粉塵は排気用送風装置２ｂ及び熱交換器４に付着するのを防止し、製品性能を維持することができる。
【００６６】
（実施の形態５）
図６に示すように、第一の枠体２内に運転及び停止に応じて開閉するシャッター１０を設ける。
【００６７】
上記構成において、シャッター１０は送風装置の停止時には、通風接続口２ｅを塞いでいるが、送風装置の運転時には第一の枠体２の通風接続口２ｅ側の一側面に設けた回転軸を中心にして回転し、通風接続口２ｅを開口する構成とした。
【００６８】
このように、停止時に屋外からの冷気が室内に侵入するのを防ぐことができる。
【産業上の利用可能性】
【００６９】
本発明にかかる熱交換換気装置は、送風装置等を第一の枠体内に、熱交換器等を第二の枠体内にそれぞれ分割して設ける構造によって、空調機、送風機等に設けられている枠体の接続構造にも適応できる。
【図面の簡単な説明】
【００７０】
【図１】本発明の実施の形態１の熱交換換気装置を示す断面図
【図２】同熱交換換気装置の施工手順を（ａ）（ｂ）（ｃ）で示す図
【図３】本発明の実施の形態２の熱交換換気装置の凹部と凸部を示す斜視図
【図４】本発明の実施の形態３の熱交換換気装置を示す側面断面図
【図５】本発明の実施の形態４の熱交換換気装置を示す斜視図
【図６】本発明の実施の形態５の熱交換換気装置のシャッターを示す構成図
【図７】従来の熱交換換気装置の断面図
【符号の説明】
【００７１】
１    換気装置取付口
２    第一の枠体
２ａ  給気用送風装置
２ｂ  排気用送風装置
２ｃ  仕切り板Ａ
２ｄ  脚部
２ｅ  通風接続口
２ｆ  排気風路
２ｇ  給気風路
２ｈ  凹部
３    第二の枠体
３ａ  仕切り板Ｂ
３ｂ  仕切り板Ｃ
３ｃ  取付部
３ｄ  係合手段
３ｅ  給気用吹出し口
３ｆ  排気用吸い込み口
３ｈ  凸部
４    熱交換器
４ａ  フィルター
４ｂ  フィルター
５ａ  排気用ダクト
５ｂ  給気用ダクト
６    フィルター
８    給気用吹出し口
９    化粧パネル
９ｂ  室内給気吹出し口
１０  シャッター
【図１】
0004775022.tif 000002
【図２】
0004775022.tif 000003
【図３】
0004775022.tif 000004
【図４】
0004775022.tif 000005
【図５】
0004775022.tif 000006
【図６】
0004775022.tif 000007
【図７】
0004775022.tif 000008